(57)【要約】【課題】太陽電池セル間を接続する配線を簡略化するとともに、配線が断線することを防止する太陽電池モジュールを提供する。【解決手段】蛍光集光板２０と、蛍光集光板２０の外縁部に配置された複数の太陽電池セル３０と、蛍光集光板２０の光入射面２０ａとは反対側の面２０ｂに配置され、複数の太陽電池セル３０を直列接続または並列接続する第１の導電体４１および第２の導電体４２を有するフレキシブルプリント配線板４０と、を備え、複数の太陽電池セル３０の電極と、フレキシブルプリント配線板４０の外縁側に設けられた第１の導電体４１の複数の第１の端子４１ａおよび第２の導電体４２の複数の第２の端子４２ａとがそれぞれ、蛍光集光板２０の光入射面２０ａとは反対の面２０ｂ側にて電気的に接続された太陽電池モジュール１０。【選択図】図１
2016164943.tif 000002
【特許請求の範囲】
【請求項１】
蛍光集光板と、該蛍光集光板の外縁部に配置された複数の太陽電池セルと、前記蛍光集光板の光入射面とは反対側の面に配置され、前記複数の太陽電池セルを直列接続または並列接続する第１の導電体および第２の導電体を有するフレキシブルプリント配線板と、を備え、
前記複数の太陽電池セルの電極と、前記フレキシブルプリント配線板の外縁側に設けられた前記第１の導電体の複数の第１の端子および前記第２の導電体の複数の第２の端子とがそれぞれ、前記蛍光集光板の光入射面とは反対の面側にて電気的に接続されたことを特徴とする太陽電池モジュール。
【請求項２】
前記太陽電池セルは、前記蛍光集光板の側面に配置されたことを特徴とする請求項１に記載の太陽電池モジュール。
【請求項３】
前記太陽電池セルは、前記フレキシブルプリント配線板の前記蛍光集光板と対向する面側に配置されたことを特徴とする請求項１に記載の太陽電池モジュール。
【請求項４】
前記第１の導電体は前記フレキシブルプリント配線板の前記蛍光集光板側の面に設けられ、前記第２の導電体は前記フレキシブルプリント配線板の前記蛍光集光板とは反対側の面に設けられ、
前記フレキシブルプリント配線板を前記蛍光集光板側の面から見た場合、前記第１の端子と前記第２の端子が交互に配置され、
前記第１の端子と前記第２の端子の間に、前記フレキシブルプリント配線板の外縁よりも内側に凹む凹部が設けられていることを特徴とする請求項１〜３のいずれか１項に記載の太陽電池モジュール。
【請求項５】
前記フレキシブルプリント配線板は、前記第１の端子が設けられている領域が、前記第２の端子が設けられている領域よりも、前記フレキシブルプリント配線板の外縁方向に突出していることを特徴とする請求項４に記載の太陽電池モジュール。
【請求項６】
前記第１の導電体は前記フレキシブルプリント配線板の前記蛍光集光板側の面に設けられ、
前記第２の導電体における前記第２の端子およびその近傍は前記フレキシブルプリント配線板の前記蛍光集光板側の面に設けられ、前記第２の導電体における前記第２の端子およびその近傍以外の部分は前記フレキシブルプリント配線板の前記蛍光集光板とは反対側の面に設けられ、
前記フレキシブルプリント配線板を前記蛍光集光板側の面から見た場合、前記第１の端子と前記第２の端子が交互に配置されていることを特徴とする請求項１または２に記載の太陽電池モジュール。
【請求項７】
前記フレキシブルプリント配線板の前記第１の導電体および前記第２の導電体が設けられていない領域に、前記フレキシブルプリント配線板を厚さ方向に貫通する開口部が設けられていることを特徴とする請求項１〜６のいずれか１項に記載の太陽電池モジュール。
【請求項８】
前記蛍光集光板は、光入射面側から見た場合、３角形以上の多角形状をなし、前記フレキシブルプリント配線板は、前記蛍光集光板の側面の毎に設けられたことを特徴とする請求項１〜７のいずれか１項に記載の太陽電池モジュール。
【請求項９】
前記フレキシブルプリント配線板は、前記第１の導電体が設けられた第１のフレキシブルプリント配線板と、前記第２の導電体が設けられた第２のフレキシブルプリント配線板とが積層されてなることを特徴とする請求項１〜８のいずれか１項に記載の太陽電池モジュール。
【請求項１０】
前記フレキシブルプリント配線板の前記第１の導電体および前記第２の導電体が設けられていない領域に、フィルムアンテナが設けられたことを特徴とする請求項１〜９のいずれか１項に記載の太陽電池モジュール。
【請求項１１】
前記フレキシブルプリント配線板の前記第１の導電体および前記第２の導電体が設けられていない領域に、最大電力点追従制御装置が設けられたことを特徴とする請求項１〜１０のいずれか１項に記載の太陽電池モジュール。
【請求項１２】
前記蛍光集光板と前記フレキシブルプリント配線板との間に反射フィルムが設けられたことを特徴とする請求項１〜１１のいずれか１項に記載の太陽電池モジュール。
【発明の詳細な説明】
【技術分野】
【０００１】
本発明は、太陽電池モジュールに関する。
【背景技術】
【０００２】
蛍光集光板を用いた太陽光発電デバイスは、蛍光集光板と、蛍光集光板の外縁部に配置された複数の太陽電池セルと、を備える。この太陽光発電デバイスでは、蛍光集光板で集光した光が、太陽電池セルに導入される。蛍光集光板の外縁部に配置された太陽電池セルから電力を得るためには、各太陽電池セルを、回路基板や配線材を用いて、電気的に接続する必要がある。また、太陽電池セルの動作性能の観点からすると、各太陽電池セルを適宜、直列接続または並列接続することにより、出力電力の最適化を行う必要がある。
【０００３】
従来、蛍光集光板の外縁部に配置した各太陽電池セルを接続する場合、太陽電池セルを回路基板に支持するとともに、固定し、各回路基板を線材で接続する形態を採用している（例えば、特許文献１参照）。
【先行技術文献】
【特許文献】
【０００４】
【特許文献１】国際公開第２０１４／０５０６４５号
【発明の概要】
【発明が解決しようとする課題】
【０００５】
しかしながら、従来の太陽光発電デバイスでは、各太陽電池セルを、蛍光集光板の外縁部の限られた空間内で接続するため、太陽電池セルの数が増えたり、太陽電池セル間の接続に直列接続と並列接続が混在したりすると、接続点が増加し、配線の数が増えるため、配線が複雑になるという課題があった。このように、配線が複雑になると、配線が断線するおそれがあるという課題もあった。
【０００６】
本発明の１つの態様は、上記の課題を解決するためになされたものであって、太陽電池セル間を接続する配線を簡略化するとともに、配線が断線することを防止する太陽電池モジュール提供することを目的とする。
【課題を解決するための手段】
【０００７】
上記の目的を達成するために、本発明の１つの態様の太陽電池モジュールは、蛍光集光板と、該蛍光集光板の外縁部に配置された複数の太陽電池セルと、前記蛍光集光板の光入射面とは反対側の面に配置され、前記複数の太陽電池セルを直列接続または並列接続する第１の導電体および第２の導電体を有するフレキシブルプリント配線板と、を備え、前記複数の太陽電池セルの電極と、前記フレキシブルプリント配線板の外縁側に設けられた前記第１の導電体の複数の第１の端子および前記第２の導電体の複数の第２の端子とがそれぞれ、前記蛍光集光板の光入射面とは反対の面側にて電気的に接続されたことを特徴とする。
【０００８】
本発明の１つの態様の太陽電池モジュールにおいて、前記太陽電池セルは、前記蛍光集光板の側面に配置されていてもよい。
【０００９】
本発明の１つの態様の太陽電池モジュールにおいて、  前記太陽電池セルは、前記フレキシブルプリント配線板の前記蛍光集光板と対向する面側に配置されていてもよい。
【００１０】
本発明の１つの態様の太陽電池モジュールにおいて、前記第１の導電体は前記フレキシブルプリント配線板の前記蛍光集光板側の面に設けられ、前記第２の導電体は前記フレキシブルプリント配線板の前記蛍光集光板とは反対側の面に設けられ、前記フレキシブルプリント配線板を前記蛍光集光板側の面から見た場合、前記第１の端子と前記第２の端子が交互に配置され、前記第１の端子と前記第２の端子の間に、前記フレキシブルプリント配線板の外縁よりも内側に凹む凹部が設けられていてもよい。
【００１１】
本発明の１つの態様の太陽電池モジュールにおいて、前記フレキシブルプリント配線板は、前記第１の端子が設けられている領域が、前記第２の端子が設けられている領域よりも、前記フレキシブルプリント配線板の外縁方向に突出していてもよい。
【００１２】
本発明の１つの態様の太陽電池モジュールにおいて、前記第１の導電体は前記フレキシブルプリント配線板の前記蛍光集光板側の面に設けられ、前記第２の導電体における前記第２の端子およびその近傍は前記フレキシブルプリント配線板の前記蛍光集光板側の面に設けられ、前記第２の導電体における前記第２の端子およびその近傍以外の部分は前記フレキシブルプリント配線板の前記蛍光集光板とは反対側の面に設けられ、前記フレキシブルプリント配線板を前記蛍光集光板側の面から見た場合、前記第１の端子と前記第２の端子が交互に配置されていてもよい。
【００１３】
本発明の１つの態様の太陽電池モジュールにおいて、前記フレキシブルプリント配線板の前記第１の導電体および前記第２の導電体が設けられていない領域に、前記フレキシブルプリント配線板を厚さ方向に貫通する開口部が設けられていてもよい。
【００１４】
本発明の１つの態様の太陽電池モジュールにおいて、前記蛍光集光板は、光入射面側から見た場合、３角形以上の多角形状をなし、前記フレキシブルプリント配線板は、前記蛍光集光板の側面の毎に設けられていてもよい。
【００１５】
本発明の１つの態様の太陽電池モジュールにおいて、前記フレキシブルプリント配線板は、前記第１の導電体が設けられた第１のフレキシブルプリント配線板と、前記第２の導電体が設けられた第２のフレキシブルプリント配線板とが積層されていてもよい。
【００１６】
本発明の１つの態様の太陽電池モジュールにおいて、前記フレキシブルプリント配線板の前記第１の導電体および前記第２の導電体が設けられていない領域に、フィルムアンテナが設けられていてもよい。
【００１７】
本発明の１つの態様の太陽電池モジュールにおいて、前記フレキシブルプリント配線板の前記第１の導電体および前記第２の導電体が設けられていない領域に、最大電力点追従制御装置が設けられていてもよい。
【００１８】
本発明の１つの態様の太陽電池モジュールにおいて、前記蛍光集光板と前記フレキシブルプリント配線板との間に反射フィルムが設けられていてもよい。
【発明の効果】
【００１９】
本発明の１つの態様によれば、太陽電池セル間を接続する配線を簡略化するとともに、配線が断線することを防止する太陽電池モジュールを提供することができる。
【図面の簡単な説明】
【００２０】
【図１】第１実施形態の太陽電池モジュールを示す概略斜視図である。
【図２】第１実施形態の太陽電池モジュールを示す概略斜視図である。
【図３】第２実施形態の太陽電池モジュールを示す概略斜視図である。
【図４】図３の一部を拡大した図である。
【図５】第２実施形態の太陽電池モジュールを示す概略断面図である。
【図６】第３実施形態の太陽電池モジュールを示す概略斜視図である。
【図７】図６の一部を拡大した図である。
【図８】第３実施形態の太陽電池モジュールを示す概略断面図である。
【図９】図６の一部を拡大した図である。
【図１０】第４実施形態の太陽電池モジュールを示す概略斜視図である。
【図１１】図１０の一部を拡大した図である。
【図１２】図１０の一部を拡大した図である。
【図１３】第５実施形態の太陽電池モジュールを示す概略斜視図である。
【図１４】第５実施形態の太陽電池モジュールを構成するフレキシブルプリント配線板の一部を示す概略平面図である。
【図１５】第５実施形態の太陽電池モジュールを構成するフレキシブルプリント配線板の一部を示す概略平面図である。
【図１６】第６実施形態の太陽電池モジュールを示す概略斜視図である。
【図１７】第６実施形態の太陽電池モジュールを構成するフレキシブルプリント配線板を示す概略平面図である。
【図１８】第７実施形態の太陽電池モジュールを示す概略斜視図である。
【図１９】第７実施形態の太陽電池モジュールを示す概略斜視図である。
【図２０】第７実施形態の太陽電池モジュールを構成するフレキシブルプリント配線板を示す概略断面図である。
【図２１】第８実施形態の太陽電池モジュールを示す概略斜視図である。
【図２２】第９実施形態の太陽電池モジュールを示す概略斜視図である。
【図２３】第９実施形態の太陽電池モジュールを構成するフレキシブルプリント配線板を示す概略断面図である。
【図２４】第１０実施形態の太陽電池モジュールを示す概略斜視図である。
【図２５】第１１実施形態の太陽電池モジュールを示す概略斜視図である。
【図２６】第１１実施形態の太陽電池モジュールを示す概略断面図である。
【発明を実施するための形態】
【００２１】
本発明の太陽電池モジュール、太陽光発電装置および照明装置の実施の形態について説明する。
なお、本実施の形態は、発明の趣旨をより良く理解させるために具体的に説明するものであり、特に指定のない限り、本発明を限定するものではない。
【００２２】
［第１実施形態］
図１は、第１実施形態の太陽電池モジュールを示す概略斜視図である。図２は、第１実施形態の太陽電池モジュールを示す概略斜視図である。
本実施形態の太陽電池モジュール１０は、蛍光集光板２０と、蛍光集光板２０の外縁部に配置された複数の太陽電池セル３０（３０Ａ，３０Ｂ，３０Ｃ，３０Ｄ，３０Ｅ，３０Ｆ）と、蛍光集光板２０の光入射面２０ａとは反対側の面２０ｂに配置され、複数の太陽電池セル３０を直列接続または並列接続する第１の導電体４１および第２の導電体４２を有するフレキシブルプリント配線板４０と、を備える。
本実施形態では、蛍光集光板２０が、光入射面２０ａ側から見て正方形状をなしており、太陽電池セル３０が、蛍光集光板２０の側面に配置されている。
【００２３】
フレキシブルプリント配線板４０は、可撓性を有するフィルム状のプラスチック基材４３と、その一方の面（蛍光集光板２０と対向する面）４３ａに設けられ、フレキシブルプリント配線板４０の外縁側に配置された複数の第１の端子４１ａを有する第１の導電体４１と、プラスチック基材４３の一方の面４３ａとは反対側の面に設けられ、フレキシブルプリント配線板４０の外縁側に配置された複数の第２の端子４２ａを有する第２の導電体４２と、を備えている。
また、フレキシブルプリント配線板４０を蛍光集光板２０側（蛍光集光板２０の光入射面２０ａ側）の面から見た場合、第１の端子４１ａと第２の端子４２ａが交互に配置されている。
また、第１の導電体４１と第２の導電体４２とは、プラスチック基材４３を厚さ方向に貫通するコンタクトホール内に設けられた貫通電極４４を介して電気的に接続されている。
【００２４】
複数の太陽電池セル３０の電極の正極（＋極）と、フレキシブルプリント配線板４０の外縁側に設けられた第１の導電体４１の複数の第１の端子４１ａとがそれぞれ、蛍光集光板２０の光入射面２０ａとは反対側の面２０ｂ側にて電気的に接続されている。このとき、複数の太陽電池セル３０の電極の正極（＋極）端子は、蛍光集光板２０の光入射面２０ａとは反対側の面２０ｂ側に設けられている。
また、複数の太陽電池セル３０の電極の負極（−極）と、フレキシブルプリント配線板４０の外縁側に設けられた第２の導電体４２の複数の第２の端子４２ａとがそれぞれ、蛍光集光板２０の光入射面２０ａとは反対側の面２０ｂ側にて電気的に接続されている。このとき、複数の太陽電池セル３０の電極の負極（−極）端子は、蛍光集光板２０の光入射面２０ａとは反対側の面２０ｂ側に設けられている。
【００２５】
本実施形態の太陽電池モジュール１０によれば、複数の太陽電池セル３０の電極と、フレキシブルプリント配線板４０の外縁側に設けられた第１の導電体４１の複数の第１の端子４１ａおよび第２の導電体４２の複数の第２の端子４２ａとがそれぞれ、蛍光集光板２０の光入射面２０ａとは反対の面２０ｂ側にて電気的に接続さているため、複数の太陽電池セル３０間を接続する配線（第１の導電体４１、第２の導電体４２）を簡略化することができるとともに、配線（第１の導電体４１、第２の導電体４２）が断線することを防止することができる。
【００２６】
［第２実施形態］
図３は、第２実施形態の太陽電池モジュールを示す概略斜視図である。図４は、図３において、破線αで囲んだ領域を拡大した図である。図５は、第２実施形態の太陽電池モジュールを示す概略断面図である。
本実施形態の太陽電池モジュール５０は、蛍光集光板６０と、蛍光集光板６０の外縁部に配置された複数の太陽電池セル７０（７０Ａ，７０Ｂ，７０Ｃ，７０Ｄ，７０Ｅ，７０Ｆ）と、蛍光集光板６０の光入射面６０ａとは反対側の面６０ｂに配置され、複数の太陽電池セル７０を直列接続または並列接続する第１の導電体８１および第２の導電体８２を有するフレキシブルプリント配線板８０と、を備える。
本実施形態では、蛍光集光板６０が、光入射面６０ａ側から見て正方形状をなしており、太陽電池セル７０が、蛍光集光板６０の側面に配置されている。
【００２７】
フレキシブルプリント配線板８０は、可撓性を有するフィルム状のプラスチック基材８３と、その一方の面（蛍光集光板６０と対向する面）８３ａに設けられ、フレキシブルプリント配線板８０の外縁側に配置された複数の第１の端子８１ａを有する第１の導電体８１と、プラスチック基材８３の一方の面８３ａとは反対側の面８３ｂに設けられ、フレキシブルプリント配線板８０の外縁側に配置された複数の第２の端子８２ａを有する第２の導電体８２と、を備えている。
また、フレキシブルプリント配線板８０を蛍光集光板６０側（蛍光集光板６０の光入射面６０ａ側）の面から見た場合、第１の端子８１ａと第２の端子８２ａが交互に配置されている。
また、第１の導電体８１と第２の導電体８２とは、プラスチック基材８３を厚さ方向に貫通するコンタクトホール内に設けられた貫通電極８４を介して電気的に接続されている。
【００２８】
図４に示すように、フレキシブルプリント配線板８０において、第１の端子８１ａと第２の端子８２ａとの間に、フレキシブルプリント配線板８０の外縁よりも内側に凹み、フレキシブルプリント配線板８０を蛍光集光板６０側の面から見た場合に正方形状をなす凹部８５が設けられている。
凹部８５の大きさは、特に限定されないが、フレキシブルプリント配線板８０から太陽電池セル７０への応力を緩和することなどを目的として、適宜調整される。
【００２９】
複数の太陽電池セル７０の電極の正極（＋極）と、フレキシブルプリント配線板８０の外縁側に設けられた第１の導電体８１の複数の第１の端子８１ａとがそれぞれ、蛍光集光板６０の光入射面６０ａとは反対側の面６０ｂ側にて電気的に接続されている。このとき、複数の太陽電池セル７０の電極の正極（＋極）端子は、太陽電池セル７０の側面７０ａに設けられている。そして、複数の太陽電池セル７０の電極の正極（＋極）端子は、太陽電池セル７０の側面７０ａから蛍光集光板６０の光入射面６０ａとは反対側の面６０ｂに延在するように設けられた第３の導電体７１を介して、第１の導電体８１の複数の第１の端子８１ａと電気的に接続されている。ここで、図５に示すように、フレキシブルプリント配線板８０における、第１の導電体８１の複数の第１の端子８１ａが設けられている領域が、蛍光集光板６０の光入射面６０ａから離隔する方向に湾曲され、第３の導電体７１の下方から、第１の端子８１ａと第３の導電体７１の端子７１ａとが電気的に接続されている。
【００３０】
複数の太陽電池セル７０の電極の負極（−極）と、フレキシブルプリント配線板８０の外縁側に設けられた第２の導電体８２の複数の第１の端子８２ａとがそれぞれ、蛍光集光板６０の光入射面６０ａとは反対側の面６０ｂ側にて電気的に接続されている。このとき、複数の太陽電池セル７０の電極の負極（−極）端子は、太陽電池セル７０の底面７０ｂに設けられている。そして、複数の太陽電池セル７０の電極の負極（−極）端子は、太陽電池セル７０の底面７０ｂに設けられた第４の導電体７２を介して、第２の導電体８２の複数の第２の端子８２ａと電気的に接続されている。ここで、図５に示すように、フレキシブルプリント配線板８０における、第２の導電体８２の複数の第２の端子８２ａが設けられている領域が、蛍光集光板６０の光入射面６０ａに近接する方向に湾曲され、第４の導電体７２の上方から、第２の端子８２ａと第４の導電体７２の端子７２ａとが電気的に接続されている。
【００３１】
本実施形態の太陽電池モジュール５０によれば、複数の太陽電池セル７０の電極と、フレキシブルプリント配線板８０の外縁側に設けられた第１の導電体８１の複数の第１の端子８１ａおよび第２の導電体８２の複数の第２の端子８２ａとがそれぞれ、蛍光集光板６０の光入射面６０ａとは反対の面６０ｂ側にて電気的に接続さているため、複数の太陽電池セル７０間を接続する配線（第１の導電体８１、第２の導電体８２）を簡略化することができるとともに、配線（第１の導電体８１、第２の導電体８２）が断線することを防止することができる。また、フレキシブルプリント配線板８０において、第１の端子８１ａと第２の端子８２ａとの間に、フレキシブルプリント配線板８０の外縁よりも内側に凹む凹部８５が設けられているため、フレキシブルプリント配線板８０から太陽電池セル７０への応力を緩和することができる。
【００３２】
［第３実施形態］
図６は、第３実施形態の太陽電池モジュールを示す概略斜視図である。図７は、図６において、破線βで囲んだ領域を拡大した図の一例である。図８は、第３実施形態の太陽電池モジュールを示す概略断面図である。図９は、図６において、破線βで囲んだ領域を拡大した図の他の例である。
本実施形態の太陽電池モジュール９０は、蛍光集光板１００と、蛍光集光板１００の外縁部に配置された複数の太陽電池セル１１０（１１０Ａ，１１０Ｂ，１１０Ｃ，１１０Ｄ，１１０Ｅ，１１０Ｆ）と、蛍光集光板１００の光入射面１００ａとは反対側の面１００ｂに配置され、複数の太陽電池セル１１０を直列接続または並列接続する第１の導電体１２１および第２の導電体１２２を有するフレキシブルプリント配線板１２０と、を備える。
本実施形態では、蛍光集光板１００が、光入射面１００ａ側から見て正方形状をなしており、太陽電池セル１１０が、蛍光集光板１００の側面に配置されている。
【００３３】
フレキシブルプリント配線板１２０は、可撓性を有するフィルム状のプラスチック基材１２３と、その一方の面（蛍光集光板１００と対向する面）１２３ａに設けられ、フレキシブルプリント配線板１２０の外縁側に配置された複数の第１の端子１２１ａを有する第１の導電体１２１と、プラスチック基材１２３の一方の面１２３ａとは反対側の面１２３ｂに設けられ、フレキシブルプリント配線板１２０の外縁側に配置された複数の第２の端子１２２ａを有する第２の導電体１２２と、を備えている。
また、フレキシブルプリント配線板１２０を蛍光集光板１００側（蛍光集光板１００の光入射面１００ａ側）の面から見た場合、第１の端子１２１ａと第２の端子１２２ａが交互に配置されている。
また、第１の導電体１２１と第２の導電体１２２とは、プラスチック基材１２３を厚さ方向に貫通するコンタクトホール内に設けられた貫通電極１２４を介して電気的に接続されている。
【００３４】
図７に示すように、フレキシブルプリント配線板１２０において、第１の端子１２１ａと第２の端子１２２ａとの間に、フレキシブルプリント配線板１２０の外縁よりも内側に凹み、フレキシブルプリント配線板１２０を蛍光集光板１００側の面から見た場合に正方形状をなす凹部１２５が設けられている。
凹部１２５の大きさは、特に限定されないが、フレキシブルプリント配線板１２０から太陽電池セル１１０への応力を緩和することなどを目的として、適宜調整される。
また、図７に示すように、フレキシブルプリント配線板１２０は、第１の端子１２１ａが設けられている領域が、第２の端子１２２ａが設けられている領域よりも、フレキシブルプリント配線板１２０の外縁方向に突出している。
第２の端子１２２ａに対する第１の端子１２１ａの突出量は、特に限定されないが、フレキシブルプリント配線板１２０から太陽電池セル１１０への応力を緩和することなどを目的として、適宜調整される。
【００３５】
複数の太陽電池セル１１０の電極の正極（＋極）と、フレキシブルプリント配線板１２０の外縁側に設けられた第１の導電体１２１の複数の第１の端子１２１ａとがそれぞれ、蛍光集光板１００の光入射面１００ａとは反対側の面１００ｂ側にて電気的に接続されている。このとき、複数の太陽電池セル１１０の電極の正極（＋極）端子は、太陽電池セル１１０の側面１１０ａに設けられている。そして、複数の太陽電池セル１１０の電極の正極（＋極）端子は、太陽電池セル１１０の側面１１０ａから蛍光集光板１００の光入射面１００ａとは反対側の面１００ｂに延在するように設けられた第３の導電体１１１を介して、第１の導電体１２１の複数の第１の端子１２１ａと電気的に接続されている。ここで、図８に示すように、フレキシブルプリント配線板１２０における、第１の導電体１２１の複数の第１の端子１２１ａが設けられている領域が、蛍光集光板１００の光入射面１００ａから離隔する方向に湾曲され、第３の導電体１１１の下方から、第１の端子１２１ａと第３の導電体１１１の端子１１１ａとが電気的に接続されている。
【００３６】
複数の太陽電池セル１１０の電極の負極（−極）と、フレキシブルプリント配線板１２０の外縁側に設けられた第２の導電体１２２の複数の第１の端子１２２ａとがそれぞれ、蛍光集光板１００の光入射面１００ａとは反対側の面１００ｂ側にて電気的に接続されている。このとき、複数の太陽電池セル１１０の電極の負極（−極）端子は、太陽電池セル１１０の底面１１０ｂに設けられている。そして、複数の太陽電池セル１１０の電極の負極（−極）端子は、太陽電池セル１１０の底面１１０ｂに設けられた第４の導電体１１２を介して、第２の導電体１２２の複数の第２の端子１２２ａと電気的に接続されている。ここで、図８に示すように、フレキシブルプリント配線板１２０における、第２の導電体１２２の複数の第２の端子１２２ａが設けられている領域が、蛍光集光板１００の光入射面１００ａに近接する方向に湾曲され、第４の導電体１１２の上方から、第２の端子１２２ａと第４の導電体１１２の端子１１２ａとが電気的に接続されている。
【００３７】
なお、本実施形態では、フレキシブルプリント配線板１２０に、フレキシブルプリント配線板１２０を蛍光集光板１００側の面から見た場合に正方形状をなす凹部１２５が設けられている場合を例示したが、本実施形態はこれに限定されない。本実施形態にあっては、図９に示すように、フレキシブルプリント配線板１２０を蛍光集光板１００側の面から見た場合、凹部１２５が、フレキシブルプリント配線板１２０の内側において、曲率を有する形状をなしていてもよい。
【００３８】
本実施形態の太陽電池モジュール９０によれば、複数の太陽電池セル１１０の電極と、フレキシブルプリント配線板１２０の外縁側に設けられた第１の導電体１２１の複数の第１の端子１２１ａおよび第２の導電体１２２の複数の第２の端子１２２ａとがそれぞれ、蛍光集光板１００の光入射面１００ａとは反対の面１００ｂ側にて電気的に接続さているため、複数の太陽電池セル１１０間を接続する配線（第１の導電体１２１、第２の導電体１２２）を簡略化することができるとともに、配線（第１の導電体１２１、第２の導電体１２２）が断線することを防止することができる。また、フレキシブルプリント配線板１２０において、第１の端子１２１ａと第２の端子１２２ａとの間に、フレキシブルプリント配線板１２０の外縁よりも内側に凹む凹部１２５が設けられ、フレキシブルプリント配線板１２０は、第１の端子１２１ａが設けられている領域が、第２の端子１２２ａが設けられている領域よりも、フレキシブルプリント配線板１２０の外縁方向に突出しているため、フレキシブルプリント配線板１２０から太陽電池セル１１０への応力を緩和することができる。
【００３９】
［第４実施形態］
図１０は、第４実施形態の太陽電池モジュールを示す概略斜視図である。図１１は、図１０において、破線γで囲んだ領域を拡大した図である。図１２は、図１０において、破線γで囲んだ領域を拡大した図である。
本実施形態の太陽電池モジュール１３０は、蛍光集光板１４０と、蛍光集光板１４０の外縁部に配置された複数の太陽電池セル１５０（１５０Ａ，１５０Ｂ，１５０Ｃ，１５０Ｄ，１５０Ｅ，１５０Ｆ）と、蛍光集光板１４０の光入射面１４０ａとは反対側の面１４０ｂに配置され、複数の太陽電池セル１５０を直列接続または並列接続する第１の導電体１６１および第２の導電体１６２を有するフレキシブルプリント配線板１６０と、を備える。
本実施形態では、蛍光集光板１４０が、光入射面１４０ａ側から見て正方形状をなしており、太陽電池セル１５０が、蛍光集光板１４０の側面に配置されている。
【００４０】
フレキシブルプリント配線板１６０は、可撓性を有するフィルム状のプラスチック基材１６３と、その一方の面（蛍光集光板１４０と対向する面）１６３ａに設けられ、フレキシブルプリント配線板１６０の外縁側に配置された複数の第１の端子１６１ａを有する第１の導電体１６１と、プラスチック基材１６３の一方の面１６３ａとは反対側の面１６３ｂに設けられ、フレキシブルプリント配線板１６０の外縁側に配置された複数の第２の端子１６２ａを有する第２の導電体１６２と、を備えている。なお、第２の導電体１６２における第２の端子１６２ａおよびその近傍（これらを「領域Ａ」と言う。）は、フレキシブルプリント配線板１６０の一方の面１６３ａに設けられ、第２の導電体１６２における第２の端子１６２ａおよびその近傍以外の部分（これらを「領域Ｂ」と言う。）は、フレキシブルプリント配線板１６０のプラスチック基材１６３の一方の面１６３ａとは反対側の面１６３ｂに設けられている。そして、領域Ａと領域Ｂとは、プラスチック基材１６３を厚さ方向に貫通する貫通電極１６５を介して、電気的に接続されている。
また、フレキシブルプリント配線板１６０を蛍光集光板１４０側（蛍光集光板１４０の光入射面１４０ａ側）の面から見た場合、第１の端子１６１ａと第２の端子１６２ａが交互に配置されている。
また、第１の導電体１６１と第２の導電体１６２とは、プラスチック基材１６３を厚さ方向に貫通するコンタクトホール内に設けられた貫通電極１６４を介して電気的に接続されている。
【００４１】
複数の太陽電池セル１５０の電極の正極（＋極）と、フレキシブルプリント配線板１６０の外縁側に設けられた第１の導電体１６１の複数の第１の端子１６１ａとがそれぞれ、蛍光集光板１４０の光入射面１４０ａとは反対側の面１４０ｂ側にて電気的に接続されている。このとき、複数の太陽電池セル１５０の電極の正極（＋極）端子は、蛍光集光板１４０の光入射面１４０ａとは反対側の面１４０ｂ側に設けられている。
また、複数の太陽電池セル１５０の電極の負極（−極）と、フレキシブルプリント配線板１６０の外縁側に設けられた第２の導電体１６２の複数の第２の端子１６２ａとがそれぞれ、蛍光集光板１４０の光入射面１４０ａとは反対側の面１４０ｂ側にて電気的に接続されている。このとき、複数の太陽電池セル１５０の電極の負極（−極）端子は、蛍光集光板１４０の光入射面１４０ａとは反対側の面１４０ｂ側に設けられている。
【００４２】
本実施形態の太陽電池モジュール１３０によれば、複数の太陽電池セル１５０の電極と、フレキシブルプリント配線板１６０の外縁側に設けられた第１の導電体１６１の複数の第１の端子１６１ａおよび第２の導電体１６２の複数の第２の端子１６２ａとがそれぞれ、蛍光集光板１４０の光入射面１４０ａとは反対の面１４０ｂ側にて電気的に接続さているため、複数の太陽電池セル１５０間を接続する配線（第１の導電体１６１、第２の導電体１６２）を簡略化することができるとともに、配線（第１の導電体１６１、第２の導電体１６２）が断線することを防止することができる。
【００４３】
［第５実施形態］
図１３は、第５実施形態の太陽電池モジュールを示す概略斜視図である。図１４は、第５実施形態の太陽電池モジュールを構成するフレキシブルプリント配線板の一部を示す概略平面図である。図１５は、第５実施形態の太陽電池モジュールを構成するフレキシブルプリント配線板の一部を示す概略平面図である。
本実施形態の太陽電池モジュール１７０は、蛍光集光板１８０と、蛍光集光板１８０の外縁部に配置された複数の太陽電池セル１９０（１９０Ａ，１９０Ｂ，１９０Ｃ，１９０Ｄ，１９０Ｅ，１９０Ｆ）と、蛍光集光板１８０の光入射面１８０ａとは反対側の面１８０ｂに配置され、複数の太陽電池セル１９０を直列接続または並列接続する第１の導電体２０１および第２の導電体２０２を有するフレキシブルプリント配線板２００と、を備える。
本実施形態では、蛍光集光板１８０が、光入射面１８０ａ側から見て正方形状をなしており、太陽電池セル１９０が、蛍光集光板１８０の側面に配置されている。
【００４４】
フレキシブルプリント配線板２００は、可撓性を有するフィルム状のプラスチック基材２０３と、その一方の面（蛍光集光板１８０と対向する面）２０３ａに設けられ、フレキシブルプリント配線板２００の外縁側に配置された複数の第１の端子２０１ａを有する第１の導電体２０１と、プラスチック基材２０３の一方の面２０３ａとは反対側の面に設けられ、フレキシブルプリント配線板２００の外縁側に配置された複数の第２の端子２０２ａを有する第２の導電体２０２と、を備えている。
また、フレキシブルプリント配線板２００を蛍光集光板１８０側（蛍光集光板１８０の光入射面１８０ａ側）の面から見た場合、第１の端子２０１ａと第２の端子２０２ａが交互に配置されている。
また、第１の導電体２０１と第２の導電体２０２とは、プラスチック基材２０３を厚さ方向に貫通するコンタクトホール内に設けられた貫通電極２０４を介して電気的に接続されている。
【００４５】
また、フレキシブルプリント配線板２００の第１の導電体２０１および第２の導電体２０２が設けられていない領域に、フレキシブルプリント配線板２００を厚さ方向に貫通する開口部２０５が設けられている。
開口部２０５の形状は、特に限定されないが、例えば、図１４に示すように、フレキシブルプリント配線板２００の中央部に設けられた、正方形状であってもよい。また、開口部２０５は、図１５に示すように、多数の細孔の集合体であってもよい。
【００４６】
複数の太陽電池セル１９０の電極の正極（＋極）と、フレキシブルプリント配線板２００の外縁側に設けられた第１の導電体２０１の複数の第１の端子２０１ａとがそれぞれ、蛍光集光板１８０の光入射面１８０ａとは反対側の面１８０ｂ側にて電気的に接続されている。このとき、複数の太陽電池セル１９０の電極の正極（＋極）端子は、蛍光集光板１８０の光入射面１８０ａとは反対側の面１８０ｂ側に設けられている。
また、複数の太陽電池セル１９０の電極の負極（−極）と、フレキシブルプリント配線板２００の外縁側に設けられた第２の導電体２０２の複数の第２の端子２０２ａとがそれぞれ、蛍光集光板１８０の光入射面１８０ａとは反対側の面１８０ｂ側にて電気的に接続されている。このとき、複数の太陽電池セル１９０の電極の負極（−極）端子は、蛍光集光板１８０の光入射面１８０ａとは反対側の面１８０ｂ側に設けられている。
【００４７】
本実施形態の太陽電池モジュール１７０によれば、複数の太陽電池セル１９０の電極と、フレキシブルプリント配線板２００の外縁側に設けられた第１の導電体２０１の複数の第１の端子２０１ａおよび第２の導電体２０２の複数の第２の端子２０２ａとがそれぞれ、蛍光集光板１８０の光入射面１８０ａとは反対の面１８０ｂ側にて電気的に接続さているため、複数の太陽電池セル１９０間を接続する配線（第１の導電体２０１、第２の導電体２０２）を簡略化することができるとともに、配線（第１の導電体２０１、第２の導電体２０２）が断線することを防止することができる。また、フレキシブルプリント配線板２００の第１の導電体２０１および第２の導電体２０２が設けられていない領域に、フレキシブルプリント配線板２００を厚さ方向に貫通する開口部２０５が設けられているため、フレキシブルプリント配線板２００の実質的な面積が減少し、フレキシブルプリント配線板２００から太陽電池セル１９０への応力を緩和することができる。また、フレキシブルプリント配線板２００の第１の導電体２０１および第２の導電体２０２が設けられていない領域に、フレキシブルプリント配線板２００を厚さ方向に貫通する開口部２０５が設けられているため、フレキシブルプリント配線板２００自体の変形による応力を低減することができる。さらに、開口部２０５において、蛍光集光板１８０が露出するため、フレキシブルプリント配線板２００から蛍光集光板１８０へ向かう光の透過率を向上することができる。その結果、太陽電池セル１９０の発電量を多くすることができる。
【００４８】
［第６実施形態］
図１６は、第６実施形態の太陽電池モジュールを示す概略斜視図である。図１７は、第６実施形態の太陽電池モジュールを構成するフレキシブルプリント配線板を示す概略平面図である。
本実施形態の太陽電池モジュール２１０は、蛍光集光板２２０と、蛍光集光板２２０の外縁部に配置された複数の太陽電池セル２３０（２３０Ａ，２３０Ｂ，２３０Ｃ，２３０Ｄ，２３０Ｅ，２３０Ｆ）と、蛍光集光板２２０の光入射面２２０ａとは反対側の面２２０ｂに配置され、複数の太陽電池セル２３０を直列接続または並列接続する第１の導電体２４１および第２の導電体２４２を有するフレキシブルプリント配線板２４０と、を備える。
本実施形態では、蛍光集光板２２０が、光入射面２２０ａ側から見て正方形状をなしており、太陽電池セル２３０が、蛍光集光板２２０の側面に配置されている。
【００４９】
フレキシブルプリント配線板２４０は、可撓性を有するフィルム状のプラスチック基材２４３と、その一方の面（蛍光集光板２２０と対向する面）２４３ａに設けられ、フレキシブルプリント配線板２４０の外縁側に配置された複数の第１の端子２４１ａを有する第１の導電体２４１と、プラスチック基材２４３の一方の面２４３ａとは反対側の面２４３ｂに設けられ、フレキシブルプリント配線板２４０の外縁側に配置された複数の第２の端子２４２ａを有する第２の導電体２４２と、を備えている。
【００５０】
また、フレキシブルプリント配線板２４０は、蛍光集光板２２０の側面の毎に対応する４つのフレキシブルプリント配線板２４０Ａ，２４０Ｂ，２４０Ｃ，２４０Ｄから構成されている。すなわち、４つのフレキシブルプリント配線板２４０Ａ，２４０Ｂ，２４０Ｃ，２４０Ｄがそれぞれ、蛍光集光板２２０の側面の毎に設けられている。
４つのフレキシブルプリント配線板２４０Ａ，２４０Ｂ，２４０Ｃ，２４０Ｄはそれぞれ、図１７に示すように、フレキシブルプリント配線板２４０を蛍光集光板２２０側の面から見た場合、台形状をなしている。そして、これら４つのフレキシブルプリント配線板２４０Ａ，２４０Ｂ，２４０Ｃ，２４０Ｄを組み合わせてなるフレキシブルプリント配線板２４０には、中央部に開口部２４５が形成されている。
また、フレキシブルプリント配線板２４０を蛍光集光板２２０側（蛍光集光板２２０の光入射面２２０ａ側）の面から見た場合、第１の端子２４１ａと第２の端子２４２ａが交互に配置されている。
【００５１】
また、隣接するフレキシブルプリント配線板２４０の第１の導電体２４１と第２の導電体２４２とは、プラスチック基材２４３を厚さ方向に貫通するコンタクトホール内に設けられた貫通電極２４４を介して電気的に接続されている。すなわち、フレキシブルプリント配線板２４０Ａの第２の導電体２４２と、フレキシブルプリント配線板２４０Ｂの第１の導電体２４１とは、貫通電極２４４を介して電気的に接続されている。また、フレキシブルプリント配線板２４０Ｂの第２の導電体２４２と、フレキシブルプリント配線板２４０Ｃの第１の導電体２４１とは、貫通電極２４４を介して電気的に接続されている。また、フレキシブルプリント配線板２４０Ｃの第２の導電体２４２と、フレキシブルプリント配線板２４０Ｄの第１の導電体２４１とは、貫通電極２４４を介して電気的に接続されている。さらに、フレキシブルプリント配線板２４０Ｄの第２の導電体２４２と、フレキシブルプリント配線板２４０Ａの第１の導電体２４１とは、貫通電極２４４を介して電気的に接続されている。
【００５２】
複数の太陽電池セル２３０の電極の正極（＋極）と、フレキシブルプリント配線板２４０の外縁側に設けられた第１の導電体２４１の複数の第１の端子２４１ａとがそれぞれ、蛍光集光板２２０の光入射面２２０ａとは反対側の面２２０ｂ側にて電気的に接続されている。このとき、複数の太陽電池セル２３０の電極の正極（＋極）端子は、蛍光集光板２２０の光入射面２２０ａとは反対側の面２２０ｂ側に設けられている。
また、複数の太陽電池セル２３０の電極の負極（−極）と、フレキシブルプリント配線板２４０の外縁側に設けられた第２の導電体２４２の複数の第２の端子２４２ａとがそれぞれ、蛍光集光板２２０の光入射面２２０ａとは反対側の面２２０ｂ側にて電気的に接続されている。このとき、複数の太陽電池セル２３０の電極の負極（−極）端子は、蛍光集光板２２０の光入射面２２０ａとは反対側の面２２０ｂ側に設けられている。
【００５３】
本実施形態の太陽電池モジュール２１０によれば、複数の太陽電池セル２３０の電極と、フレキシブルプリント配線板２４０の外縁側に設けられた第１の導電体２４１の複数の第１の端子２４１ａおよび第２の導電体２４２の複数の第２の端子２４２ａとがそれぞれ、蛍光集光板２２０の光入射面２２０ａとは反対の面２２０ｂ側にて電気的に接続さているため、複数の太陽電池セル２３０間を接続する配線（第１の導電体２４１、第２の導電体２４２）を簡略化することができるとともに、配線（第１の導電体２４１、第２の導電体２４２）が断線することを防止することができる。また、４つのフレキシブルプリント配線板２４０Ａ，２４０Ｂ，２４０Ｃ，２４０Ｄがそれぞれ、蛍光集光板２２０の側面の毎に設けられ、４つのフレキシブルプリント配線板２４０Ａ，２４０Ｂ，２４０Ｃ，２４０Ｄを組み合わせてなるフレキシブルプリント配線板２４０には、中央部に開口部２４５が形成されているため、開口部２４５において、蛍光集光板２２０が露出するため、フレキシブルプリント配線板２４０から蛍光集光板２２０へ向かう光の透過率を向上することができる。その結果、太陽電池セル２３０の発電量を多くすることができる。
【００５４】
［第７実施形態］
図１８は、第７実施形態の太陽電池モジュールを示す概略斜視図である。図１９は、第７実施形態の太陽電池モジュールを示す概略斜視図である。図２０は、第７実施形態の太陽電池モジュールを構成するフレキシブルプリント配線板を示す概略断面図である。
本実施形態の太陽電池モジュール２５０は、蛍光集光板２６０と、蛍光集光板２６０の外縁部に配置された複数の太陽電池セル２７０（２７０Ａ，２７０Ｂ，２７０Ｃ，２７０Ｄ，２７０Ｅ，２７０Ｆ）と、蛍光集光板２６０の光入射面２６０ａとは反対側の面２６０ｂに配置され、複数の太陽電池セル２７０を直列接続または並列接続する第１の導電体２９１および第２の導電体３０１を有するフレキシブルプリント配線板２８０と、を備える。
本実施形態では、蛍光集光板２６０が、光入射面２６０ａ側から見て正方形状をなしており、太陽電池セル２７０が、蛍光集光板２６０の側面に配置されている。
【００５５】
フレキシブルプリント配線板２８０は、第１の導電体２９１が設けられた第１のフレキシブルプリント配線板２９０と、第２の導電体３０１が設けられた第２のフレキシブルプリント配線板３００とが積層されてなる。第１のフレキシブルプリント配線板２９０と第２のフレキシブルプリント配線板３００とは、蛍光集光板２６０の光入射面２６０ａとは反対側の面２６０ｂ側から、この順に積層されている。
第１のフレキシブルプリント配線板２９０は、可撓性を有するフィルム状のプラスチック基材２９２と、その一方の面（蛍光集光板２６０と対向する面）２９２ａに設けられ、第１のフレキシブルプリント配線板２９０の外縁側に配置された複数の第１の端子２９１ａを有する第１の導電体２９１と、を備えている。
第２のフレキシブルプリント配線板３００は、可撓性を有するフィルム状のプラスチック基材３０２と、その一方の面（蛍光集光板２６０と対向する面）３０２ａに設けられ、第２のフレキシブルプリント配線板３００の外縁側に配置された複数の第２の端子３０１ａを有する第２の導電体３０１と、を備えている。
【００５６】
また、フレキシブルプリント配線板２８０を蛍光集光板２６０側（蛍光集光板２６０の光入射面２６０ａ側）の面から見た場合、第１のフレキシブルプリント配線板２９０の第１の端子２９１ａと、第２のフレキシブルプリント配線板３００の第２の端子３０１ａとが交互に配置されている。
また、第１のフレキシブルプリント配線板２９０の第１の端子２９１ａと、第２のフレキシブルプリント配線板３００の第２の端子３０１ａとは、例えば、プラスチック基材２９２を厚さ方向に貫通するコンタクトホール内に設けられた図示しない貫通電極を介して電気的に接続されている。
【００５７】
複数の太陽電池セル２７０の電極の正極（＋極）と、第一のフレキシブルプリント配線板２９０の外縁側に設けられた第１の導電体２９１の複数の第１の端子２９１ａとがそれぞれ、蛍光集光板２６０の光入射面２６０ａとは反対側の面２６０ｂ側にて電気的に接続されている。このとき、複数の太陽電池セル２７０の電極の正極（＋極）端子は、蛍光集光板２６０の光入射面２６０ａとは反対側の面２６０ｂ側に設けられている。
また、複数の太陽電池セル２７０の電極の負極（−極）と、第二のフレキシブルプリント配線板３００の外縁側に設けられた第２の導電体３０１の複数の第２の端子３０１ａとがそれぞれ、蛍光集光板２６０の光入射面２６０ａとは反対側の面２６０ｂ側にて電気的に接続されている。このとき、複数の太陽電池セル２７０の電極の負極（−極）端子は、蛍光集光板２６０の光入射面２６０ａとは反対側の面２６０ｂ側に設けられている。
【００５８】
本実施形態の太陽電池モジュール２５０によれば、複数の太陽電池セル２７０の電極と、フレキシブルプリント配線板２８０の外縁側に設けられた第１の導電体２９１の複数の第１の端子２９１ａおよび第２の導電体３０１の複数の第２の端子３０１ａとがそれぞれ、蛍光集光板２６０の光入射面２６０ａとは反対の面２６０ｂ側にて電気的に接続さているため、複数の太陽電池セル２７０間を接続する配線（第１の導電体２９１、第２の導電体３０１）を簡略化することができるとともに、配線（第１の導電体２９１、第２の導電体３０１）が断線することを防止することができる。また、フレキシブルプリント配線板２８０は、第１の導電体２９１が設けられた第１のフレキシブルプリント配線板２９０と、第２の導電体３０１が設けられた第２のフレキシブルプリント配線板３００とが積層されてなるため、多数の配線（第１の導電体２９１、第２の導電体３０１）を互いに干渉しないように配置することができ、配線の設計の自由度を高めることができる。
【００５９】
［第８実施形態］
図２１は、第８実施形態の太陽電池モジュールを示す概略斜視図である。
本実施形態の太陽電池モジュール３１０は、蛍光集光板３２０と、蛍光集光板３２０の外縁部に配置された複数の太陽電池セル３３０（３３０Ａ，３３０Ｂ，３３０Ｃ，３３０Ｄ，３３０Ｅ，３３０Ｆ）と、蛍光集光板３２０の光入射面３２０ａとは反対側の面３２０ｂに配置され、複数の太陽電池セル３３０を直列接続または並列接続する第１の導電体３４１および第２の導電体３４２を有するフレキシブルプリント配線板３４０と、フレキシブルプリント配線板３４０の第１の導電体３４１および第２の導電体３４２が設けられていない領域に設けられたフィルムアンテナ３５０と、を備える。
本実施形態では、蛍光集光板３２０が、光入射面３２０ａ側から見て正方形状をなしており、太陽電池セル３３０が、蛍光集光板３２０の側面に配置されている。
【００６０】
フレキシブルプリント配線板３４０は、可撓性を有するフィルム状のプラスチック基材３４３と、その一方の面（蛍光集光板３２０と対向する面）３４３ａに設けられ、フレキシブルプリント配線板３４０の外縁側に配置された複数の第１の端子３４１ａを有する第１の導電体３４１と、プラスチック基材３４３の一方の面３４３ａとは反対側の面に設けられ、フレキシブルプリント配線板３４０の外縁側に配置された複数の第２の端子３４２ａを有する第２の導電体３４２と、を備えている。
また、フレキシブルプリント配線板３４０を蛍光集光板３２０側（蛍光集光板３２０の光入射面３２０ａ側）の面から見た場合、第１の端子３４１ａと第２の端子３４２ａが交互に配置されている。
また、第１の導電体３４１と第２の導電体３４２とは、プラスチック基材３４３を厚さ方向に貫通するコンタクトホール内に設けられた貫通電極３４４を介して電気的に接続されている。
【００６１】
複数の太陽電池セル３３０の電極の正極（＋極）と、フレキシブルプリント配線板３４０の外縁側に設けられた第１の導電体３４１の複数の第１の端子３４１ａとがそれぞれ、蛍光集光板３２０の光入射面３２０ａとは反対側の面３２０ｂ側にて電気的に接続されている。このとき、複数の太陽電池セル３３０の電極の正極（＋極）端子は、蛍光集光板３２０の光入射面３２０ａとは反対側の面３２０ｂ側に設けられている。
また、複数の太陽電池セル３３０の電極の負極（−極）と、フレキシブルプリント配線板３４０の外縁側に設けられた第２の導電体３４２の複数の第２の端子３４２ａとがそれぞれ、蛍光集光板３２０の光入射面３２０ａとは反対側の面３２０ｂ側にて電気的に接続されている。このとき、複数の太陽電池セル３３０の電極の負極（−極）端子は、蛍光集光板３２０の光入射面３２０ａとは反対側の面２０ｂ側に設けられている。
【００６２】
本実施形態の太陽電池モジュール３１０によれば、複数の太陽電池セル３３０の電極と、フレキシブルプリント配線板３４０の外縁側に設けられた第１の導電体３４１の複数の第１の端子３４１ａおよび第２の導電体３４２の複数の第２の端子３４２ａとがそれぞれ、蛍光集光板３２０の光入射面３２０ａとは反対の面３２０ｂ側にて電気的に接続さているため、複数の太陽電池セル３３０間を接続する配線（第１の導電体３４１、第２の導電体３４２）を簡略化することができるとともに、配線（第１の導電体３４１、第２の導電体３４２）が断線することを防止することができる。また、フレキシブルプリント配線板３４０の第１の導電体３４１および第２の導電体３４２が設けられていない領域に、フィルムアンテナ３５０が設けられているので、太陽電池モジュール３１０に通信機能を付与することができる。
【００６３】
［第９実施形態］
図２２は、第９実施形態の太陽電池モジュールを示す概略斜視図である。図２３は、第９実施形態の太陽電池モジュールを構成するフレキシブルプリント配線板を示す概略断面図である。
本実施形態の太陽電池モジュール３６０は、蛍光集光板３７０と、蛍光集光板３７０の外縁部に配置された複数の太陽電池セル３８０（３８０Ａ，３８０Ｂ，３８０Ｃ，３８０Ｄ，３８０Ｅ，３８０Ｆ）と、蛍光集光板３７０の光入射面３７０ａとは反対側の面３７０ｂに配置され、複数の太陽電池セル３８０を直列接続または並列接続する第１の導電体３９１および第２の導電体３９２を有するフレキシブルプリント配線板３９０と、を備える。
本実施形態では、蛍光集光板３７０が、光入射面３７０ａ側から見て正方形状をなしており、太陽電池セル３８０が、蛍光集光板３７０の光入射面３７０ａとは反対側の面３７０ｂ側に配置されている。具体的には、太陽電池セル３８０が、フレキシブルプリント配線板３９０の蛍光集光板３７０と対向する面側に配置されている。
【００６４】
フレキシブルプリント配線板３９０は、可撓性を有するフィルム状のプラスチック基材３９３と、その一方の面（蛍光集光板３７０と対向する面）３９３ａに設けられ、フレキシブルプリント配線板３９０の外縁側に配置された複数の第１の端子３９１ａを有する第１の導電体３９１と、プラスチック基材３９３の一方の面３９３ａとは反対側の面３９３ｂに設けられ、フレキシブルプリント配線板３９０の外縁側に配置された複数の第２の端子３９２ａを有する第２の導電体３９２と、を備えている。また、フレキシブルプリント配線板３９０は、第１の導電体３９１、第２の導電体３９２およびプラスチック基材３９３からなる積層体を配置するプラスチック基材３９４を備えている。そして、プラスチック基材３９４の蛍光集光板３７０側の面３９４ａに、第２の導電体３９２が配置され、第２の導電体３９２のうちプラスチック基材３９３と接している部分から延出する部分（プラスチック基材３９３と接しない部分）が太陽電池セル３８０と電気的に接続されている。
【００６５】
また、フレキシブルプリント配線板３９０を蛍光集光板３７０側（蛍光集光板３７０の光入射面３７０ａ側）の面から見た場合、第１の端子３９１ａと第２の端子３９２ａが交互に配置されている。
また、第１の導電体３９１と第２の導電体３９２とは、プラスチック基材３９３を厚さ方向に貫通するコンタクトホール内に設けられた図示しない貫通電極を介して電気的に接続されている。
【００６６】
複数の太陽電池セル３８０の電極の正極（＋極）と、フレキシブルプリント配線板３９０の外縁側に設けられた第１の導電体３９１の複数の第１の端子３９１ａとがそれぞれ、蛍光集光板３７０の光入射面３７０ａとは反対側の面３７０ｂ側にて電気的に接続されている。このとき、図２３に示すように、複数の太陽電池セル３８０の電極の正極（＋極）端子は、第２の導電体３９２と接続される面とは反対側の面３８０ａ側に設けられ、その面３８０ａ側にて、第１の導電体３９１と、太陽電池セル３８０の電極の正極（＋極）端子とが電気的に接続されている。
また、複数の太陽電池セル３８０の電極の負極（−極）と、フレキシブルプリント配線板３９０の外縁側に設けられた第２の導電体３９２の複数の第１の端子３９２ａとがそれぞれ、蛍光集光板３７０の光入射面３７０ａとは反対側の面３７０ｂ側にて電気的に接続されている。このとき、図２３に示すように、複数の太陽電池セル３８０の電極の負極（−極）端子は、第２の導電体３９２側の面３８０ｂに設けられ、その面３８０ｂ側にて、第２の導電体３９２と、太陽電池セル３８０の電極の負極（−極）端子とが電気的に接続されている。
【００６７】
本実施形態の太陽電池モジュール３６０によれば、複数の太陽電池セル３８０の電極と、フレキシブルプリント配線板３９０の外縁側に設けられた第１の導電体３９１の複数の第１の端子３９１ａおよび第２の導電体３９２の複数の第２の端子３９２ａとがそれぞれ、蛍光集光板３７０の光入射面３７０ａとは反対の面３７０ｂ側にて電気的に接続さているため、複数の太陽電池セル３８０間を接続する配線（第１の導電体３９１、第２の導電体３９２）を簡略化することができるとともに、配線（第１の導電体３９１、第２の導電体３９２）が断線することを防止することができる。また、太陽電池セル３８０が、フレキシブルプリント配線板３９０の蛍光集光板３７０と対向する面側に配置されているため、太陽電池セル３８０とフレキシブルプリント配線板３９０を１つの構成物として扱うことができるから、配線工程を簡略化することができる。
【００６８】
［第１０実施形態］
図２４は、第１０実施形態の太陽電池モジュールを示す概略斜視図である。
本実施形態の太陽電池モジュール４００は、蛍光集光板４１０と、蛍光集光板４１０の外縁部に配置された複数の太陽電池セル４２０（４２０Ａ，４２０Ｂ，４２０Ｃ，４２０Ｄ，４２０Ｅ，４２０Ｆ）と、蛍光集光板４１０の光入射面４１０ａとは反対側の面４１０ｂに配置され、複数の太陽電池セル４２０を直列接続または並列接続する第１の導電体４３１および第２の導電体４３２を有するフレキシブルプリント配線板４３０と、フレキシブルプリント配線板４３０の第１の導電体４３１および第２の導電体４３２が設けられていない領域に設けられた最大電力点追従制御装置４３５と、を備える。
本実施形態では、蛍光集光板４１０が、光入射面４１０ａ側から見て正方形状をなしており、太陽電池セル４２０が、蛍光集光板４１０の側面に配置されている。
【００６９】
フレキシブルプリント配線板４３０は、可撓性を有するフィルム状のプラスチック基材４３３と、その一方の面（蛍光集光板４１０と対向する面）４３３ａに設けられ、フレキシブルプリント配線板４３０の外縁側に配置された複数の第１の端子４３１ａを有する第１の導電体４３１と、プラスチック基材４３３の一方の面４３３ａとは反対側の面に設けられ、フレキシブルプリント配線板４３０の外縁側に配置された複数の第２の端子４３２ａを有する第２の導電体４３２と、を備えている。
また、フレキシブルプリント配線板４３０を蛍光集光板４１０側（蛍光集光板４１０の光入射面４１０ａ側）の面から見た場合、第１の端子４３１ａと第２の端子４３２ａが交互に配置されている。
また、第１の導電体４３１と第２の導電体４３２とは、プラスチック基材４３３を厚さ方向に貫通するコンタクトホール内に設けられた貫通電極４３４を介して電気的に接続されている。
【００７０】
複数の太陽電池セル４２０の電極の正極（＋極）と、フレキシブルプリント配線板４３０の外縁側に設けられた第１の導電体４３１の複数の第１の端子４３１ａとがそれぞれ、蛍光集光板４１０の光入射面４１０ａとは反対側の面４１０ｂ側にて電気的に接続されている。このとき、複数の太陽電池セル４２０の電極の正極（＋極）端子は、蛍光集光板４１０の光入射面４１０ａとは反対側の面４１０ｂ側に設けられている。
また、複数の太陽電池セル４２０の電極の負極（−極）と、フレキシブルプリント配線板４３０の外縁側に設けられた第２の導電体４３２の複数の第２の端子４３２ａとがそれぞれ、蛍光集光板４１０の光入射面４１０ａとは反対側の面４１０ｂ側にて電気的に接続されている。このとき、複数の太陽電池セル４２０の電極の負極（−極）端子は、蛍光集光板４１０の光入射面４１０ａとは反対側の面４１０ｂ側に設けられている。
【００７１】
本実施形態の太陽電池モジュール４００によれば、複数の太陽電池セル４２０の電極と、フレキシブルプリント配線板４３０の外縁側に設けられた第１の導電体４３１の複数の第１の端子４３１ａおよび第２の導電体４３２の複数の第２の端子４３２ａとがそれぞれ、蛍光集光板４１０の光入射面４１０ａとは反対の面４１０ｂ側にて電気的に接続さているため、複数の太陽電池セル４２０間を接続する配線（第１の導電体４３１、第２の導電体４３２）を簡略化することができるとともに、配線（第１の導電体４３１、第２の導電体４３２）が断線することを防止することができる。また、フレキシブルプリント配線板４３０の第１の導電体４３１および第２の導電体４３２が設けられていない領域に、最大電力点追従制御装置４３５が設けられているため、太陽電池モジュール４００の外部に最大電力点追従制御装置４３５等の回路ボックスが不要となり、省スペース化を実現することができる。
【００７２】
［第１１実施形態］
図２５は、第１１実施形態の太陽電池モジュールを示す概略斜視図である。図２６は、第１１実施形態の太陽電池モジュールを示す概略断面図である。
本実施形態の太陽電池モジュール４４０は、蛍光集光板４５０と、蛍光集光板４５０の外縁部に配置された複数の太陽電池セル４６０（４６０Ａ，４６０Ｂ，４６０Ｃ，４６０Ｄ，４６０Ｅ，４６０Ｆ）と、蛍光集光板４５０の光入射面４５０ａとは反対側の面４５０ｂに配置され、複数の太陽電池セル４６０を直列接続または並列接続する第１の導電体４７１および第２の導電体４７２を有するフレキシブルプリント配線板４７０と、蛍光集光板４５０とフレキシブルプリント配線板４７０との間に設けられた反射フィルム４８０と、を備える。
本実施形態では、蛍光集光板４５０が、光入射面４５０ａ側から見て正方形状をなしており、太陽電池セル４６０が、蛍光集光板４４０の側面に配置されている。
【００７３】
フレキシブルプリント配線板４７０は、可撓性を有するフィルム状のプラスチック基材４７３と、その一方の面（蛍光集光板４５０と対向する面）４７３ａに設けられ、フレキシブルプリント配線板４７０の外縁側に配置された複数の第１の端子４７１ａを有する第１の導電体４７１と、プラスチック基材４７３の一方の面４７３ａとは反対側の面に設けられ、フレキシブルプリント配線板４７０の外縁側に配置された複数の第２の端子４７２ａを有する第２の導電体４７２と、を備えている。
また、フレキシブルプリント配線板４７０を蛍光集光板４５０側（蛍光集光板４５０の光入射面４５０ａ側）の面から見た場合、第１の端子４７１ａと第２の端子４７２ａが交互に配置されている。
また、第１の導電体４７１と第２の導電体４７２とは、プラスチック基材４７３を厚さ方向に貫通するコンタクトホール内に設けられた貫通電極４７４を介して電気的に接続されている。
【００７４】
複数の太陽電池セル４６０の電極の正極（＋極）と、フレキシブルプリント配線板４７０の外縁側に設けられた第１の導電体４７１の複数の第１の端子４７１ａとがそれぞれ、蛍光集光板４５０の光入射面４５０ａとは反対側の面４５０ｂ側にて電気的に接続されている。このとき、複数の太陽電池セル４６０の電極の正極（＋極）端子は、蛍光集光板４５０の光入射面４５０ａとは反対側の面４５０ｂ側に設けられている。
また、複数の太陽電池セル４６０の電極の負極（−極）と、フレキシブルプリント配線板４７０の外縁側に設けられた第２の導電体４７２の複数の第２の端子４７２ａとがそれぞれ、蛍光集光板４７０の光入射面４７０ａとは反対側の面４７０ｂ側にて電気的に接続されている。このとき、複数の太陽電池セル４６０の電極の負極（−極）端子は、蛍光集光板４５０の光入射面４５０ａとは反対側の面４５０ｂ側に設けられている。
【００７５】
本実施形態の太陽電池モジュール４４０によれば、複数の太陽電池セル４６０の電極と、フレキシブルプリント配線板４７０の外縁側に設けられた第１の導電体４７１の複数の第１の端子４７１ａおよび第２の導電体４７２の複数の第２の端子４７２ａとがそれぞれ、蛍光集光板４５０の光入射面４５０ａとは反対の面４５０ｂ側にて電気的に接続さているため、複数の太陽電池セル４６０間を接続する配線（第１の導電体４７１、第２の導電体４７２）を簡略化することができるとともに、配線（第１の導電体４７１、第２の導電体４７２）が断線することを防止することができる。また、蛍光集光板４５０とフレキシブルプリント配線板４７０との間に反射フィルム４８０が設けられているため、蛍光集光板４５０で吸収されずに透過した光を反射フィルム４８０で反射させて、再び蛍光集光板４５０に戻すことができる。その結果、太陽電池セル４６０の発電量を多くすることができる。
【産業上の利用可能性】
【００７６】
本発明は、太陽電池モジュール、もしくは太陽光発電装置、もしくは照明装置に利用可能である。
【符号の説明】
【００７７】
１０・・・太陽電池モジュール、２０・・・蛍光集光板、３０・・・太陽電池セル、４０・・・フレキシブルプリント配線板、４１・・・第１の導電体、４２・・・第２の導電体。
【図１】
2016164943.tif 000003
【図２】
2016164943.tif 000004
【図３】
2016164943.tif 000005
【図４】
2016164943.tif 000006
【図５】
2016164943.tif 000007
【図６】
2016164943.tif 000008
【図７】
2016164943.tif 000009
【図８】
2016164943.tif 000010
【図９】
2016164943.tif 000011
【図１０】
2016164943.tif 000012
【図１１】
2016164943.tif 000013
【図１２】
2016164943.tif 000014
【図１３】
2016164943.tif 000015
【図１４】
2016164943.tif 000016
【図１５】
2016164943.tif 000017
【図１６】
2016164943.tif 000018
【図１７】
2016164943.tif 000019
【図１８】
2016164943.tif 000020
【図１９】
2016164943.tif 000021
【図２０】
2016164943.tif 000022
【図２１】
2016164943.tif 000023
【図２２】
2016164943.tif 000024
【図２３】
2016164943.tif 000025
【図２４】
2016164943.tif 000026
【図２５】
2016164943.tif 000027
【図２６】
2016164943.tif 000028